(57)【特許請求の範囲】
【請求項１】
水中構造物の高さに比べ短い長さを有するとともに砂を主体とした充填物が充填された複数個の砂袋を綱状部材により前記水中構造物の高さ程度の長さに連結した連結体を備えることを特徴とする水中構造物接触防護材。
【請求項２】
前記連結体を少なくとも二列並べ、前記各連結体に対し剛性のある棒状体を横方向に配置し前記各連結体に接続したことを特徴とする請求項１に記載の水中構造物接触防護材。
【請求項３】
前記連結体とほぼ平行に補助綱状部材を前記連結体間に配置し、前記補助綱状部材と前記棒状体とを接続したことを特徴とする請求項２に記載の水中構造物接触防護材。
【請求項４】
水中構造物を設置する設置方法であって、
既設の水中構造物に接近して配置される水中構造物を設置する際に、前記既設の水中構造物の面に請求項１乃至３のいずれか１項に記載の水中構造物接触防護材をその天端から下端まで取り付けてから前記水中構造物を設置することを特徴とする水中構造物設置方法。
【発明の詳細な説明】
【技術分野】
【０００１】
本発明は、水中構造物接触防護材およびこの水中構造物接触防護材を用いた水中構造物設置方法に関する。
【背景技術】
【０００２】
重力式岸壁や護岸を構築するときには、陸上で製作されたケーソンを船等で目的の敷設場所まで曳航し、中空部に注水してクレーン等を用いて沈設する。１台のケーソンが設置されると、隣接して次のケーソンが設置されるが、この設置施工の際に、設置後のケーソンに次のケーソンが当たると、ケーソンが互いに損傷してしまうおそれがある。このようなケーソンの損傷を防止するために、従来、タイヤなどの緩衝用のゴム材や幅止め材となる木片をケーソン上部の水面から上の気中部に吊り下げて、ケーソンの防護材としていた。
【０００３】
特許文献１は、中空部を有する弾性袋体と、袋体の内部に充填した水を外部に放出可能にするオリフィスとを備え、ケーソン等の水中構造物に取り付けられる水中構造物配置用緩衝材を開示する。特許文献２は、弾性体の内部にワイヤーを埋設した弾性体を配置し、ワイヤーを引き出すことで弾性体内に空間を形成するようにした緩衝体を開示し、この緩衝体は設置されるケーソン間に圧縮介在される。特許文献３は、ケーソンとケーソンとの間に空気袋を配置することを開示する。
【先行技術文献】
【特許文献】
【０００４】
【特許文献１】特開平０３−３３３２３号公報
【特許文献２】特開平０９−２１７３３１号公報
【特許文献３】特開平０９−１９５２８１号公報
【発明の開示】
【発明が解決しようとする課題】
【０００５】
上述のような、タイヤなどのゴム材や幅止め材となる木片の防護材は、主に気中部に配置され、水中部の流れの鉛直分布や波によるローリングの影響でケーソンと既設のケーソンとの水中における接触に対して効果が期待できなかった。特許文献１〜３はいずれも特別な緩衝体・緩衝材が必要である。また、防護材はケーソンの設置後には撤去されるので、撤去の容易な防護材が求められる。
【０００６】
本発明は、上述のような従来技術の問題に鑑み、簡単な構造でありながら水中構造物を設置する際に既設の水中構造物との間で水中および気中での接触を確実に防止可能でかつ撤去の容易な水中構造物接触防護材および水中構造物設置方法を提供することを目的とする。
【課題を解決するための手段】
【０００７】
上記目的を達成するための水中構造物接触防護材は、水中構造物の高さに比べ短い長さを有するとともに砂を主体とした充填物が充填された複数個の砂袋を綱状部材により前記水中構造物の高さ程度の長さに連結した連結体を備えることを特徴とする。
【０００８】
この水中構造物接触防護材によれば、砂を主体とした充填物を詰めた複数個の砂袋をロープやワイヤなどの綱状部材により連結した連結体は、砂を詰めることのできるホースなどの中空材料（一端が閉塞されている袋状体であってもよい）等、ロープ・ワイヤ等、砂といった調達が容易な材料から簡単に製作でき、簡単な構造にでき、ケーソンなどの水中構造物の高さ程度の長さを有し、水中構造物の天端から下端まで吊り下げることができるので、水中構造物を設置する際に水中および気中において既設の水中構造物との間で接触を確実に防止することができる。また、連結体を少なくとも二列配置することで、構造物の一面全体を保護することができる。また、水中構造物接触防護材の使用後には、砂袋を切り裂き、充填物を簡単に排出できるので、水中構造物接触防護材の撤去が容易である。
【０００９】
上記水中構造物接触防護材において前記連結体を少なくとも二列並べ、前記各連結体に対し剛性のある棒状体を横方向に配置し前記各連結体に接続することで、水中部において水流の影響を受け難くなり、各連結体が鉛直性を保つことができる。なお、棒状体は、縦方向に所定間隔で複数本配置することが好ましい。
【００１０】
この場合、前記連結体とほぼ平行に補助綱状部材を前記連結体間に配置し、前記補助綱状部材と前記棒状体とを接続することが好ましい。
【００１１】
なお、複数個の砂袋は、例えば、ロープやワイヤなどの長めの綱状部材をホースなどの短めの複数の中空材料に貫通させてから、各中空材料内に砂を詰め、各中空材料の両端をホースクリップ等の締め付け手段により締め付けて閉塞することで簡単に作製することができる。この場合、各砂袋の下端側には砂袋のズレ落ち防止手段を設けることが好ましい。
【００１２】
上記目的を達成するための水中構造物設置方法は、水中構造物を設置する設置方法であって、既設の水中構造物に接近して配置される水中構造物を設置する際に、前記既設の水中構造物の面に上述の水中構造物接触防護材をその天端から下端まで取り付けてから前記水中構造物を設置することを特徴とする。
【００１３】
この水中構造物設置方法によれば、水中構造物接触防護材がケーソンなどの水中構造物の高さ程度の長さを有し、既設の水中構造物の天端から下端まで吊り下げることができるので、別の水中構造物を設置する際に水中および気中において既設の水中構造物との間で接触を確実に防止することができる。また、連結体を少なくとも二列配置することで、水中構造物の一面全体を保護することができる。また、水中構造物接触防護材の使用後には、砂袋を切り裂き、内部の砂を主体とした充填物を簡単に排出できるので、水中構造物接触防護材の撤去が容易である。
【発明の効果】
【００１４】
本発明の水中構造物接触防護材および水中構造物設置方法によれば、簡単な構造でありながら水中構造物を設置する際に既設の水中構造物との間で水中および気中での接触を確実に防止し、水中構造物の損傷を防止できる。また、水中構造物接触防護材の使用後の撤去も容易である。
【図面の簡単な説明】
【００１５】
【図１】本実施の形態による水中構造物接触防護材の要部を示す正面図である。
【図２】図２は図１の水中構造物接触防護材の製作途中の砂袋を正面から見た断面図（ａ）及び完成後の砂袋を正面から見た断面図（ｂ）である。
【図３】図１の連結体１０，１０から構成された水中構造物接触防護材１を既設のケーソンの側面に配置して吊り下げた例を示す斜視図である。
【図４】本実施形態の水中構造物設置工程を説明するためのフローチャートである。
【図５】図４の設置工程においてケーソンを設置する様子を概略的に示す正面図である。
【図６】図４の水中構造物接触防護材１の撤去工程を説明するための斜視図である。
【発明を実施するための形態】
【００１６】
以下、本発明を実施するための形態について図面を用いて説明する。図１は本実施の形態による水中構造物接触防護材の要部を示す正面図である。図２は図１の水中構造物接触防護材の製作途中の砂袋を正面から見た断面図（ａ）及び完成後の砂袋を正面から見た断面図（ｂ）である。
【００１７】
図１のように、水中構造物接触防護材１は、砂が充填された複数個の砂袋１１をワイヤ１２で一列に連結した連結体１０，１０を左右に備える。各砂袋１１の長さは、水中構造物接触防護材１が配置される水中構造物の高さに比べ、十分に短くなっている。また、各連結体１０，１０の全体長さは、水中構造物接触防護材１が配置される水中構造物の高さにほぼ等しくなっているので、水中構造物の天端から下端まで吊り下げ可能である。
【００１８】
砂袋１１は、図２（ａ）のように、合成樹脂製などの可撓性のある中空材料であるホース１１ａを所定長さに切断し、可撓性のあるワイヤ１２をホース１１ａ内に貫通させ、ホース１１ａの一端を公知のホースクリップ１１ｂ等の締め付け手段により締め付けて閉塞し、ホース１１ａ内に砂９を詰め充填してから、図２（ｂ）のように、他端を同様にホースクリップ１１ｂで締め付けて閉塞することで作製することができる。
【００１９】
ワイヤ１２は水中構造物接触防護材１が配置される水中構造物の高さに対応した長さを有し、これにより、作製された連結体１０は、その全体長さが水中構造物接触防護材１の配置される水中構造物の高さにほぼ等しくなる。各砂袋１１の長さは水中構造物の高さよりもかなり短いので連結体１０には多数個の砂袋１１が連結される。
【００２０】
また、図２（ａ）、（ｂ）のように、砂袋１１のズレ落ち防止手段として各砂袋１１の下端側のワイヤ１２にワイヤクリップ１１ｃを取り付けて固定している。砂袋１１に詰められた砂が水中重量でも例えば１０ｋｇ程度作用するため、ホースクリップ１１ｂがずれて砂袋１１がずれて落ちてしまうおそれがあり、いくつもの砂袋１１がワイヤ１２の下側に寄ってしまうと、バランスよく緩衝効果を発揮できず、砂袋１１の破れなどの不具合につながるおそれが生じるが、ワイヤ１２にワイヤクリップ１１ｃを取り付けて固定することで、砂袋１１のずれによる落下を防止することができる。これにより、連結体１０において各砂袋１１を均等な間隔で保持することができる。
【００２１】
図１のように、二列の連結体１０，１０がつくる平面において各連結体１０，１０に直交するように鉄筋等からなる剛性のある棒状体１３を横方向に配置し、各連結体１０，１０に結束バンド等により接続している。この場合、複数本の棒状体１３，１３を、縦方向に所定の間隔で配置することが好ましい。さらに、各連結体１０，１０とほぼ平行に複数本の補助ロープ１４，１４を連結体１０，１０の間に配置し、補助ロープ１４，１４と棒状体１３とを結束バンド等により接続している。
【００２２】
また、図１のように、２列の連結体１０，１０の間隔ｗは、水中構造物接触防護材１が取り付けられる水中構造物の幅に対応して決められる。このため、棒状体１３，１３の長さも水中構造物の幅に対応する。
【００２３】
図３は図１の連結体１０，１０から構成された水中構造物接触防護材１を既設のケーソンの側面に配置して吊り下げた例を示す斜視図である。
【００２４】
図３に示すように、ケーソン３０が重力式岸壁や護岸などの構築のために、既に水底Ｇに設置されているが、このケーソン３０の側面３０ａに対し次のケーソンが設置されて並べられる。ケーソン３０の側面３０ａの両端近傍において連結体１０，１０をそれぞれケーソン３０の上端から下端まで鉛直方向に吊り下げ、連結体１０，１０の上端を固定する。ケーソン３０が、図３のように、上側に傾斜面２２を有する場合には、鉄骨等からなる吊下げ用部材２１を天端から突き出るようにアンカーなどにより天端に取り付け、吊下げ用部材２１の先端から連結体１０を吊り下げる。このようにして、水中構造物接触防護材１を既設のケーソン３０の側面３０ａに設置する。
【００２５】
この場合、連結体１０，１０の側面３０ａにおける両端近傍での位置は、各端部から若干内側が好ましく、例えば、端部から−１０ｃｍ程度の位置である。
【００２６】
なお、図３の例では、図１の棒状体１３と補助ロープ１４の配置を省略している。水中構造物接触防護材１において棒状体と補助ロープは必要に応じて配置することが好ましい。
【００２７】
本実施形態の水中構造物接触防護材１によれば、砂を詰めた複数個の砂袋１１をワイヤ１２により連結した連結体１０は、ホースなどからなる袋状体、ワイヤやロープ、砂といった調達が容易な材料から簡単に製作でき、簡単な構造となりまた、ケーソン３０の高さ程度の長さを有し、ケーソン３０の天端から下端まで吊り下げることができるので、別のケーソン造物を設置する際に水中および気中において既設のケーソン３０との間で接触を確実に防止することができる。また、連結体１０，１０を少なくとも二列配置することで、ケーソン３０の側面３０ａの全体を保護することができる。
【００２８】
また、図１のように、二列の連結体１０，１０に対し剛性のある棒状体１３を横方向に配置し各連結体１０，１０に接続することで、連結体１０，１０を拘束し、ケーソン３０が設置されている水中部の水流のある場でも連結体１０，１０の変位を小さくすることができる。このように、各連結体１０，１０が水流の影響を受け難くなり鉛直性を保つことができる。
【００２９】
また、連結体１０，１０とほぼ平行に複数本の補助ロープ１４，１４を連結体１０，１０間に配置し、補助ロープ１４と棒状体１３とを接続するが、かかる補助ロープ１３は、棒状体１３を補助的に支持し連結体１０の鉛直性を保つ上でいっそう好ましい。したがって、棒状体１３および補助ロープ１４は、水深が大きい領域で流速が大きく各連結体１０，１０が安定しない場合に設置することで、その効果を発揮することができる。
【００３０】
次に、図１の連結体１０，１０から構成された水中構造物接触防護材１を用いてケーソンを既設のケーソンの側に設置する工程Ｓ０１〜Ｓ０４について図４，図５，図６を参照して説明する。
【００３１】
図４は、本実施形態の水中構造物設置工程を説明するためのフローチャートである。図５は、図４の設置工程においてケーソンを設置する様子を概略的に示す正面図である。図６は、図４の水中構造物接触防護材１の撤去工程を説明するための斜視図である。
【００３２】
図５のように、図３のようなケーソン３０が既に水底Ｇに設置されている。この既設のケーソン３０に図３のように連結体１０，１０を吊り下げて水中構造物接触防護材１をケーソン３０の側面３０ａに設置する（Ｓ０１）。この連結体１０，１０の設置にはクレーン等を用いることができる。
【００３３】
次に新設のケーソン３１を船等で運搬し（Ｓ０２）、起重機船ＳＨのクレーンＣＲでケーソン３１を吊り下げて水面Ｓから水底Ｇの所定位置へと設置する（Ｓ０３）。
【００３４】
図５のように、新設のケーソン３１は、その側面３１ａが既設のケーソン３０の側面３０ａに対し接近して所定の間隔になるように設置されるが、このとき、クレーンＣＲで吊り下げられたケーソン３１の角部３１ｂが既設のケーソン３０の側面３０ａに接近して接触や衝突のおそれのある状態となったとしても、側面３０ａには図３の連結体１０，１０から構成された水中構造物接触防護材１があるので、角部３１ｂは側面３０ａに当たらずに連結体１０，１０の砂袋１１に当たり、砂袋１１がクッション材の役割を果たす。このように、ケーソン３１を既設のケーソン３０に並べて設置する際に両ケーソン３０，３１の接触・衝突を防ぐことができ、接触・衝突による両ケーソン３０，３１の損傷を防止することができる。
【００３５】
次に、水中構造物接触防護材１の各連結体１０，１０をケーソン３０の側面３０ａから撤去する（Ｓ０４）。この場合、図６のように、連結体１０の砂袋１１を潜水士ＤがカッターＣＵ等で切り裂き内部の砂を排出してから、連結体１０を吊り上げることで容易に撤去することができる。各連結体１０，１０はケーソン３１の端部近傍に位置するので、潜水士の作業に支障がない。
【００３６】
以上のように、本実施形態の水中構造物設置方法によれば、水中構造物接触防護材１の複数個の砂袋１１を連結した連結体１０，１０を既設のケーソン３０の側面３０ａにおいて天端から下端まで吊り下げるので、別のケーソン３１を設置する際に水中および気中において既設のケーソン３０との間で接触を確実に防止できる。このため、ケーソン設置施工を確実に管理することができ、ケーソンを安定して設置することができる。
【００３７】
従来のタイヤなどのゴム材や幅止め材となる木片の防護材ではケーソンを設置する際に既設のケーソンとの水中での接触に対して効果が期待できなかったのに対し、本実施形態によれば、水中構造物接触防護材１を既設のケーソン３０の天端から水中の下端まで吊り下げるので、別のケーソン３１を設置する際に気中のみならず水中においても既設のケーソン３０との間で接触を確実に防止できる。
【００３８】
緩衝材として一般的なゴム、木材、鋼材などを水中に放置するのは、水中または水底環境に好ましくないため別途手間をかけて回収する必要があるのに対し、砂を充填した砂袋１１から連結体１０を構成することで、ケーソンとその隣のケーソンとの隙間が狭く、吊り上げる方法で連結体１０を撤去できない場合には、特に砂袋１１内の材料を細粒分の少ない砂とすれば、砂袋を破って充填物が水中に落下しても、汚濁は発生せず、かつ、その後の水底環境に影響を及ぼさない。
【００３９】
以上のように本発明を実施するための形態について説明したが、本発明はこれらに限定されるものではなく、本発明の技術的思想の範囲内で各種の変形が可能である。例えば、本実施形態では、既設のケーソンに並べてケーソンを設置する場合を例にして説明したが、本発明は、これに限定されず、他の既設の水中構造物に水中構造物を設置する場合にも適用可能である。
【００４０】
また、図１のような水中構造物接触防護材１は、陸上で作製してから、既設のケーソン等にクレーン等を用いて取り付けることができるが、これに限定されず、棒状体１３などは水中で取り付けるようにしてもよい。例えば、陸上で作製した連結体１０をケーソンの天端から吊り降ろし、その途中で棒状体１３を潜水作業により連結体１０や補助ロープ１３に接続し、その後、さらに、連結体１０を吊り降ろし、同様にして次の棒状体１３を接続するようにしてもよい。
【００４１】
また、図１の各砂袋１１の縦方向長さは、たとえば６０ｃｍ程度、砂袋１１とワイヤ１２との単位長さｄ１は、例えば１ｍ程度、棒状体１３，１３の縦方向の配置間隔ｄは、たとえば５ｍ程度とすることができるが、これらに限定されず、ケーソンの高さや設置位置の水流の状態などに応じて適宜決定される。
【００４２】
砂袋１１に詰める充填物は、砂を主体とするものであり、すべて砂であることが好ましいが、砂と土の混合物であってもよい。この場合、上述のように砂袋１１の充填物を水中へ排出する場合には、水中汚濁がさほど発生せず、その後の水底環境に影響をほとんど及ぼさないものであることが好ましい。
【００４３】
また、砂袋１１は、合成樹脂製などの可撓性のある中空材料であるホースを所定長さに切断し、ホース内に砂を詰めて充填し、ホースの上下端を公知のホースクリップ等により閉塞して個別に作製してから、複数個の砂袋１１，１１をワイヤやロープで連結し、連結体１０の全体長さを、水中構造物接触防護材１の配置される水中構造物の高さにほぼ等しくなるようにしてもよい。また、下端が予め閉塞された合成樹脂繊維製などの袋状体に砂を詰めて充填し、袋状体の上端を閉塞して砂袋１１を個別に作製してもよい。
【産業上の利用可能性】
【００４４】
本発明の水中構造物接触防護材および水中構造物設置方法によれば、簡単な構造でありながら水中構造物を設置する際に既設の水中構造物との間で水中および気中での接触を確実に防止し、水中構造物の損傷を防止できるので、ケーソンなどの水中構造物の設置施工を確実に管理することができ、水中構造物を安定して設置することができる。
【符号の説明】
【００４５】
１ 水中構造物接触防護材  ９ 砂  １０ 連結体  １１ 砂袋  １２ ワイヤ  １３ 棒状体  １４ 補助ロープ  ３０ 既設のケーソン  ３０ａ 側面  ３１ ケーソン  ３１ａ 側面  ３１ｂ 角部  ｗ 間隔
【図１】
0005689738.tif 000002
【図２】
0005689738.tif 000003
【図３】
0005689738.tif 000004
【図４】
0005689738.tif 000005
【図５】
0005689738.tif 000006
【図６】
0005689738.tif 000007